(57)【要約】【課題】給湯動作を行うときの風呂自動運転動作を制限することで、ふろ自動運転中にシャワー等を使用してもシャワー流量の減少が無い、使い勝手のよい貯湯式温水器を提供することを目的とする。【解決手段】風呂湯はり動作時に給湯流量を給湯流量センサ２２が検出した時は風呂湯はり動作を継続し、風呂湯はり後の自動補水注湯動作時に給湯流量センサ２２が給湯流量を検出した時は注湯弁１１を閉じて自動補水注湯を中断し、既に給湯流量を検出していた時は注湯弁１１を開かず自動補水注湯を待機させ、給湯流量停止を検知すると注湯弁１１を開き自動補水注湯動作を開始または再開するようにしてある。【選択図】図１
2005134028.tif 000002
【特許請求の範囲】
【請求項１】
貯湯タンクからの湯に水を混合して給湯する給湯混合弁、給湯温度を検出する給湯温度センサ、給湯流量を検出する給湯流量センサからなる給湯配管回路と、貯湯タンクからの湯に水を混合して風呂湯はりをする風呂混合弁、風呂湯はり温度を検出する風呂湯はり温度センサ、風呂湯はり流量を検出する風呂流量センサ、注湯弁とからなる風呂湯はり配管回路と、前記風呂自動運転時に風呂の温水を循環させる循環ポンプ、風呂の水位を検出する水位センサ、風呂の湯水温度を検出する風呂温度センサ、風呂湯水を加熱する風呂加熱手段とからなるふろ循環配管回路と、給湯動作と風呂湯はり動作と風呂循環動作をそれぞれ制御する制御装置とを具備し、前記制御装置は風呂湯はりと補水注湯と保温の各動作を自動で行う風呂自動運転機能を持ち、風呂湯はり動作時に給湯流量を検出した時は風呂湯はり動作を継続し、風呂湯はり後の自動補水注湯動作時に給湯流量を検出した時は注湯弁を閉じて自動補水注湯を中断し、既に給湯流量を検出していた時は注湯弁を開かず自動補水注湯を待機させ、給湯流量停止を検知すると注湯弁を開き自動補水注湯動作を開始または再開することを特徴とする貯湯式温水器。
【発明の詳細な説明】
【技術分野】
【０００１】
本発明は、風呂湯張り機能を有する貯湯式温水器に関するものである。
【背景技術】
【０００２】
近年、貯湯式温水器において、台所等への一般給湯動作の他に、風呂装置に対する多様な機能が求められている。例えば、設定水位まで自動的に湯水を落とし込む自動ふろ湯はり機能、風呂湯水を好みの温度まで焚き上げる追い焚き機能、市水からの入水を一定量風呂に落とし込んで風呂湯水温度を低下させるぬるめ機能、加熱された湯水を一定量風呂に落とし込む足し湯機能等がある。
【０００３】
上記機能を達成するため、貯湯タンクからの出湯経路として２系統の給湯配管回路を設けることにより、一般給湯とふろ給湯を同時に使用できるようになっている（例えば、特許文献１参照）。
【特許文献１】特開２００２−４８４０９号公報
【発明の開示】
【発明が解決しようとする課題】
【０００４】
しかしながら上記従来の構成において、２系統の給湯配管により一般給湯と風呂給湯を同時に出湯すると、貯湯タンクから出湯される流量が分配され各系統に流れる流量が減少し、例えば、ふろ自動運転中にシャワー等を使用すると、自動補水注湯動作と重なりシャワー流量が減少し、使い勝手が悪くなることがあった。
【０００５】
本発明は上記課題を解決するもので、給湯動作を行うときの風呂自動運転動作を制限することで、ふろ自動運転中にシャワー等を使用してもシャワー流量の減少が無い、使い勝手のよい貯湯式温水器を提供することを目的とする。
【課題を解決するための手段】
【０００６】
上記目的を達成するため本発明の貯湯式温水器は、貯湯タンクからの湯に水を混合して給湯する給湯混合弁、給湯温度を検出する給湯温度センサ、給湯流量を検出する給湯流量センサからなる給湯配管回路と、貯湯タンクからの湯に水を混合して風呂湯はりをする風呂混合弁、風呂湯はり温度を検出する風呂湯はり温度センサ、風呂湯はり流量を検出する風呂流量センサ、注湯弁とからなる風呂湯はり配管回路と、前記風呂自動運転時に風呂の温水を循環させる循環ポンプ、風呂の水位を検出する水位センサ、風呂の湯水温度を検出する風呂温度センサ、風呂湯水を加熱する風呂加熱手段とからなるふろ循環配管回路と、給湯動作と風呂湯はり動作と風呂循環動作をそれぞれ制御する制御装置とを具備し、前記制御装置は風呂湯はりと補水注湯と保温の各動作を自動で行う風呂自動運転機能を持ち、風呂湯はり動作時に給湯流量を検出した時は風呂湯はり動作を継続し、風呂湯はり後の自動補水注湯動作時に給湯流量を検出した時は注湯弁を閉じて自動補水注湯を中断し、既に給湯流量を検出していた時は注湯弁を開かず自動補水注湯を待機させ、給湯流量停止を検知すると注湯弁を開き自動補水注湯動作を開始または再開させるようにしたものである。
【０００７】
上記発明によれば、ふろ自動運転中にシャワー給湯した時、ふろ補水注湯中であれば注湯弁を閉じるので、貯湯タンクからの出湯は給湯配管回路に集中して流れ、シャワー流量は減少しない。また、シャワー給湯中に自動補水注湯の条件になっても注湯弁は開かずシャワー流量が変動することは無く、シャワー給湯終了で補水注湯を再開でき、使い勝手のよい貯湯式温水器を提供できる。
【発明の効果】
【０００８】
以上のように本発明によれば、ふろ湯はり中に給湯されても、ふろ湯はり動作は継続するようにしているため、より早くふろ湯はりを完了することができる。また、ふろ保温・補水中に給湯された場合は、ふろ保温・補水は待機となり、最大の給湯流量を確保でき、例えばシャワー給湯時には快適なシャワー圧を得られる。
【発明を実施するための最良の形態】
【０００９】
本発明の実施の形態は、貯湯タンクからの湯に水を混合して給湯する給湯混合弁、給湯温度を検出する給湯温度センサ、給湯流量を検出する給湯流量センサからなる給湯配管回路と、貯湯タンクからの湯に水を混合して風呂湯はりをする風呂混合弁、風呂湯はり温度を検出する風呂湯はり温度センサ、風呂湯はり流量を検出する風呂流量センサ、注湯弁とからなる風呂湯はり配管回路と、前記風呂自動運転時に風呂の温水を循環させる循環ポンプ、風呂の水位を検出する水位センサ、風呂の湯水温度を検出する風呂温度センサ、風呂湯水を加熱する風呂加熱手段とからなるふろ循環配管回路と、給湯動作と風呂湯はり動作と風呂循環動作をそれぞれ制御する制御装置とを具備し、前記制御装置は風呂湯はりと補水注湯と保温の各動作を自動で行う風呂自動運転機能を持ち、風呂湯はり動作時に給湯流量を検出した時は風呂湯はり動作を継続し、風呂湯はり後の自動補水注湯動作時に給湯流量を検出した時は注湯弁を閉じて自動補水注湯を中断し、既に給湯流量を検出していた時は注湯弁を開かず自動補水注湯を待機させ、給湯流量停止を検知すると注湯弁を開き自動補水注湯動作を開始または再開させるようにしたものである。
【００１０】
そして、ふろ自動運転中にシャワー給湯した時、ふろ補水注湯中であれば注湯弁を閉じるのでシャワー流量は減少しない。また、シャワー給湯中に自動補水注湯の条件になっても注湯弁は開かずシャワー流量が変動することは無くシャワー給湯終了で補水注湯を再開でき、使い勝手のよい貯湯式温水器を提供できる。
【実施例】
【００１１】
以下、本発明の実施例について図面を用いて説明する。
【００１２】
（実施例１）
図１，２において、内部に電気ヒータ１を配置した貯湯タンク２の底部には減圧弁３を介して給水配管４が接続してある。
【００１３】
５は貯湯タンク２の上部に接続した出湯配管で、給湯用の給湯混合弁６とふろ湯はり用のふろ混合弁７が接続されている。またこれら給湯混合弁６、ふろ混合弁７の水側は、先の減圧弁３を介して給水配管４に接続されている。
【００１４】
給湯混合弁６の出口は、給湯流量センサー８を介して所定の場所、例えば台所や浴室の給湯口等へとつながっている。９は給湯温度センサで、給湯混合弁６の出湯温度を検出する。
【００１５】
一方、ふろ混合弁７の出口は、ふろ流量センサー１０、注湯弁１１を介して浴槽につながっている。
【００１６】
１２はふろ給湯温度センサで、ふろ混合弁７の出湯温度を検出する。１３は水位センサ、１４はふろ温度センサ、１５は循環ポンプ、１６はふろ加熱手段で、浴槽の循環路における戻り配管に接続されている。
【００１７】
出湯配管５から給湯側、またはふろ側に出湯すると、その給湯量の分が給水配管４から貯湯タンク２内に給水される。この際、貯湯タンク２内では比重差から湯が上部、水が下部に分離した状態で溜まるようになっている。いわゆる温度成層的貯湯がなされるようにしてある。また、電気ヒータ１は貯湯タンク２の水を加熱して、その全体を沸き上げるようになっている。
【００１８】
制御装置１７には、給湯流量センサ８から給湯流量 、給湯温度センサ９から給湯温度と、ふろ流量センサ１０からふろ流量 、ふろ給湯温度センサ１２からふろ給湯温度、水位センサ１３から浴槽水位、ふろ温度センサ１４から浴槽温度が入力されている。
【００１９】
また、この制御装置１７には、台所などの給湯先に設置したリモコン１８からの給湯温度設定と、ふろリモコン１９からのふろ設定温度、浴槽水位設定がそれぞれ入力されている。
【００２０】
制御装置１７の出力は、給湯混合弁６、ふろ混合弁７と、注湯弁１１と、循環ポンプ１５とふろ加熱手段１６に接続されている。
【００２１】
制御装置１７は、給湯口が開けられ、給湯流量センサ８からの検知信号を入力し、給湯混合弁６が給湯を開始したことを検出すると、給湯温度がリモコン１８で設定された給湯温度設定になるように給湯混合弁６を駆動制御する。
【００２２】
また、制御装置１７は、給湯が停止されると、給湯混合弁６による温度制御動作を停止し、またその作動を停止させる。
【００２３】
制御装置１７は、ふろリモコン１９からの信号によりふろ湯はり動作となると、注湯弁１１を開いて浴槽に対するふろ湯はりを開始し、ふろ給湯温度がふろリモコン１９で設定されたふろ温度設定になるようにふろ混合弁７を駆動制御する。
【００２４】
ふろ流量センサ１０からの検知信号を積算し一定量になると、注湯弁１１を閉じるとともに、循環ポンプ１５を一定時間駆動し、浴槽のお湯を循環してふろ循環配管内の空気を排出する。ここでの積算量は、浴槽の給湯口がお湯で埋まる程度の量に設定されている。それから循環ポンプ１５を停止して水位センサ１３からの水位を検出し、ふろリモコン１９で設定された設定水位にするための積算流量を計算する。
【００２５】
次に、再度注湯弁１１を開き、ふろ湯はりを再開する。ふろ流量センサ１０からの検知信号を積算値が計算値となると注湯弁１１を閉じ、水位センサ１３からの水位を検出し、前記設定水位に達していれば湯はりを終了する。
【００２６】
前記設定水位に達していなければ、再度必要な積算流量を計算し湯はりを繰り返し設定水位となるようにする。ここ迄の運転をふろ湯はり運転とする。
【００２７】
次に、ふろ保温・補水運転になり、一定時間毎に循環ポンプ１５を駆動し、ふろ温度センサ１４の信号からふろ温度を検出する。検出したふろ温度とふろリモコン１９で設定されたふろ設定温度と比較して一定温度以下であればふろ加熱手段１６を駆動し、ふろ温度センサ１４の信号からふろ温度が前記ふろ設定温度と比較し一定温度以上であればふろ循環ポンプ１５とふろ加熱手段１６を停止する。
【００２８】
また、水位センサ１３から信号での水位がふろリモコン１９で設定された設定水位と比較し一定水位以下であれば、必要な積算流量を計算しふろ注湯弁１１を開き、追加注湯を行う。このようにして、浴槽の水位と温度を検知して一定に保つように制御される。
【００２９】
次に図３のフローチャートを用いて説明すると、ステップ１で給湯流量センサ８の信号を検出するとステップ２に進み、そうでなければステップ３に進む。ステップ２では、ふろ保温・補水運転中かどうかを判定し、ふろ保温・補水運転中であれば、ステップ４へ進み、ふろ保温・補水運転を待機させ、そうでなければ処理を抜ける。
【００３０】
ステップ３では、ふろ保温・補水運転中かどうかを判定し、ふろ保温・補水運転中であれば、ステップ５へ進み、ふろ保温・補水運転を再開させ、そうでなければ処理を抜ける。
【００３１】
したがって、ふろ湯はり中に給湯流量を検出してもステップ１→ステップ２へ進み、処理を抜けるので、ふろ湯はり運転は継続される。
【００３２】
すなわち、ふろ自動運転時に給湯を行っても、ふろ湯はりは中断されること無く継続され、より早い湯はりが実現する。
【００３３】
次に、ふろ保温・補水運転中に給湯流量を検出すると、ステップ１→ステップ２→ステップ４へ進み、ふろ保温・補水運転は中断される。
【００３４】
したがって、ふろ湯はりが終了しふろ保温・補水運転時に給湯した場合は、給湯が優先され、保温・補水運転による流量減少は無くなり、特にシャワー給湯時は快適なシャワー圧を得られる。
【００３５】
そして、給湯流量検知が無くなると、スップ１→ステップ４→ステップ３と進みふろ保温・補水運転は再開される。
【００３６】
なお、本実施例では、給湯時にふろ保温・補水運転を待機させたが、補水のみ待機させても同様の効果を得られる。
【産業上の利用可能性】
【００３７】
以上のように本発明にかかる貯湯式温水器は、より早くふろ湯はりを完了することができるもので、一般家庭の給湯用に適合するものである。
【図面の簡単な説明】
【００３８】
【図１】本発明の実施例１における貯湯式温水器の断面図
【図２】同貯湯式温水器の制御ブロック図
【図３】本発明の実施例１における制御装置のフローチャート
【符号の説明】
【００３９】
２  貯湯タンク
６  給湯混合弁
７  ふろ混合弁
８  給湯流量センサ
９  給湯温度センサ
１０  ふろ流量センサ
１１  注湯弁
１２  ふろ湯はり温度センサ
１３  水位センサ
１４  ふろ温度センサ
１５  循環ポンプ
１６  ふろ加熱手段
【図１】
2005134028.tif 000003
【図２】
2005134028.tif 000004
【図３】
2005134028.tif 000005